(57)【要約】【課題】蛍光灯照明器具の本体を交換することなく、エコロジーの観点から、円環型蛍光灯を取り外した既存の蛍光灯照明器具に対して簡単に、且つ、安定した姿勢に取り付け可能であり、しかも十分な明るさで照明できるようにした安価なＬＥＤ照明装置を提供する。【解決手段】ＬＥＤ照明装置１は、円環型蛍光灯の内周部又は外周部の２点又は３点を支持する支持部１１を備えた既存の蛍光灯照明器具１０に取り付けて使用するためのものであり、円環型蛍光灯の内周部よりも大径に形成された円盤状の基板２と、その基板２の中心から、円環型蛍光灯の円環サイズに対応する半径の円周上で等間隔となる２点及び３点の位置に形成された基板２を貫通する貫通孔４と、基板２の表面２ａに対して貫通孔４が形成された位置を除いて複数配置されるＬＥＤ発光部材３とを備える。【選択図】図３
2014082045.tif 000002
【特許請求の範囲】
【請求項１】
円環型蛍光灯の内周部又は外周部の２点又は３点を支持する支持部を備えた既存の蛍光灯照明器具に取り付けて使用するためのＬＥＤ照明装置であって、
前記円環型蛍光灯の内周部よりも大径に形成された円盤状の基板と、
前記基板の中心から、前記円環型蛍光灯の円環サイズに対応する半径の円周上で等間隔となる２点及び３点の位置に形成され、前記基板を貫通する貫通孔と、
前記基板の表面に対して前記貫通孔が形成された位置を除いて複数配置されるＬＥＤ発光部材と、
を備え、
前記円環型蛍光灯が取り外された状態の前記蛍光灯照明器具に対し、前記基板の盤面内に形成された２点又は３点の前記貫通孔に前記支持部を係合させることによって装着可能としたことを特徴とするＬＥＤ照明装置。
【請求項２】
前記貫通孔は、前記円環型蛍光灯の円環サイズに対応する半径の円周上の１点を基準位置とし、当該基準位置と、当該基準位置から１８０度回転した１点の位置と、当該基準位置から１２０度ずつ回転した２点の位置とのそれぞれに形成されることを特徴とする請求項１に記載のＬＥＤ照明装置。
【請求項３】
前記貫通孔は、複数種類の円環サイズのそれぞれに対応した半径を有する複数の円周上に形成されることを特徴とする請求項１又は２に記載のＬＥＤ照明器具。
【請求項４】
前記ＬＥＤ発光部材は、前記貫通孔から前記基板の径方向外側又は内側の所定範囲内を除いた位置に配置されることを特徴とする請求項１乃至３のいずれかに記載のＬＥＤ照明器具。
【発明の詳細な説明】
【技術分野】
【０００１】
本発明は、既存の蛍光灯照明器具に取り付けて使用するためのＬＥＤ照明装置に関する。
【背景技術】
【０００２】
近年、ＬＥＤ照明器具の普及が著しい。ＬＥＤ照明器具は、光源としてＬＥＤ（Light Emitting Diode）を用いるため、従来の蛍光灯照明器具と比較して低消費電力であり、且つ、長寿命であるという利点がある。この種のＬＥＤ照明器具では、ＬＥＤ自体が長寿命であることから、ＬＥＤ発光部材とＬＥＤ照明器具本体とが一体不可分であるものが多く普及している。
【０００３】
その一方、近年ではＬＥＤ照明器具本体からＬＥＤチップを実装したＬＥＤモジュールを取り外して交換可能なものも提案されている（例えば特許文献１）。この特許文献１では、ＬＥＤ照明器具本体に垂設される支持柱先端部に板状の保持部を設けてモジュール保持部材を構成すると共に、そのモジュール保持部とは別にＬＥＤモジュールの背面を押圧するバネをＬＥＤ照明器具本体に設けている。またＬＥＤモジュールにはＬＥＤ照明器具本体のモジュール保持部材に係合する専用の係合部を設けている。そしてＬＥＤモジュールをＬＥＤ照明器具本体に取り付ける際には、ＬＥＤモジュールの背面側をＬＥＤ照明器具本体に設けられたバネに押し当てて係合部をモジュール保持部材に係合させることにより、ＬＥＤモジュールをバネの付勢力により安定した姿勢でＬＥＤ照明器具本体に取り付けることができる。
【先行技術文献】
【特許文献】
【０００４】
【特許文献１】特開２００３−６８１２９号公報
【発明の概要】
【発明が解決しようとする課題】
【０００５】
しかしながら、上記のようなＬＥＤモジュールは、それ専用のＬＥＤ照明器具本体に対して取り付け可能であるものの、従来既存の円環型蛍光灯を装着して照明する蛍光灯照明器具の本体には取り付けることができない。そのため、特許文献１のようなＬＥＤモジュールを使用するときには、既存の蛍光灯照明器具をそのまま使用することはできず、照明器具本体自体をそれ専用のＬＥＤ照明器具に取り替えることが必要となり、導入コストが高騰すると共に、近年のエコロジーという観点から好ましいものではない。一方、既存の蛍光灯照明器具から円環型蛍光灯を取り外し、その照明器具本体に対して特許文献１に示されるような専用のモジュール保持部材やバネを別途取り付けることによってＬＥＤモジュールを使用可能とすることも考えられるが、この場合においても既存の蛍光灯照明器具に対する事前の工事が別途必要となるため、導入コストが高騰する。
【０００６】
このようなことから、近年では既存の円環型蛍光灯を装着して照明する蛍光灯照明器具にそのまま取り付けて使用できるようにしたＬＥＤ照明装置に対するニーズが高くなっている。そこでＬＥＤ照明装置を既存の蛍光灯照明器具に取り付け可能とするためには、例えば、ＬＥＤ照明装置の外形自体を従来の円環型蛍光灯と同形の円環状に形成することが考えられる。仮に、ＬＥＤ照明装置を従来の円環型蛍光灯と同形の円環状に形成した場合、円環型蛍光灯と同様の手法でＬＥＤ照明装置を既存の蛍光灯照明器具に取り付けることができるため、事前に工事を行うことなくＬＥＤ照明装置を使用することができる。
【０００７】
しかし、その反面、ＬＥＤ照明装置を円環型蛍光灯と同形の円環状に形成すると、ＬＥＤチップの実装面積が小さくなるため、十分な明るさで照明することができなくなるという問題がある。またＬＥＤチップを蛍光灯ガラス管の内側に設置すると、ＬＥＤチップから照射される光がガラス管内で反射してしまい、ガラス管の外側へ１００％出射されなくなるため、この点についても照度を低下させる要因となる。また従来の円環型蛍光灯は、ワット数に応じて円環サイズが異なると共に、管径サイズについても標準管タイプやスリム管タイプなどが存在するため、ＬＥＤ照明装置の外形を従来の円環型蛍光灯と同形の円環状に形成する場合には、それら様々な種類の円環型蛍光灯と同形のＬＥＤ照明装置を予め多種類用意しておく必要がある。そのため、それら多種類のＬＥＤ照明装置を製造するための製造コストが上昇し、安価にＬＥＤ照明装置を提供することができなくなるという問題もある。
【０００８】
本発明は、上記従来の問題点を解決すべく、エコロジーの観点から、円環型蛍光灯を取り外した既存の蛍光灯照明器具に対して事前に工事を行うことなく、簡単に、且つ、安定した姿勢に取り付け可能であり、しかも十分な明るさで照明できるようにした安価なＬＥＤ照明装置を提供することを目的とする。
【課題を解決するための手段】
【０００９】
上記目的を達成するため、本発明が解決手段として採用したところは、円環型蛍光灯の内周部又は外周部の２点又は３点を支持する支持部を備えた既存の蛍光灯照明器具に取り付けて使用するためのＬＥＤ照明装置であって、前記円環型蛍光灯の内周部よりも大径に形成された円盤状の基板と、前記基板の中心から、前記円環型蛍光灯の円環サイズに対応する半径の円周上で等間隔となる２点及び３点の位置に形成され、前記基板を貫通する貫通孔と、前記基板の表面に対して前記貫通孔が形成された位置を除いて複数配置されるＬＥＤ発光部材と、を備え、前記円環型蛍光灯が取り外された状態の前記蛍光灯照明器具に対し、前記基板の盤面内に形成された２点又は３点の前記貫通孔に前記支持部を係合させることによって装着可能としたことを特徴とする構成にある。
【００１０】
また上記構成において、前記貫通孔は、前記円環型蛍光灯の円環サイズに対応する半径の円周上の１点を基準位置とし、当該基準位置と、当該基準位置から１８０度回転した１点の位置と、当該基準位置から１２０度ずつ回転した２点の位置とのそれぞれに形成されることを特徴とする構成を採用することが好ましい。
【００１１】
また上記構成において、前記貫通孔は、複数種類の円環サイズのそれぞれに対応した半径を有する複数の円周上に形成されることを特徴とする構成を採用することがより好ましい。
【００１２】
さらに上記構成において、前記ＬＥＤ発光部材は、前記貫通孔から前記基板の径方向外側又は内側の所定範囲内を除いた位置に配置されることを特徴とする構成を採用することがより好ましい。
【発明の効果】
【００１３】
本発明によれば、既存の蛍光灯照明器具が円環型蛍光灯の２点又は３点を支持するものであれば、その蛍光灯照明器具に対して事前に工事を行うことなく、ＬＥＤ照明装置を、簡単に、且つ、安定した姿勢に取り付けることが可能になる。またＬＥＤ照明装置は、十分な明るさで照明できると共に、汎用性が高いため安価に提供することが可能である。
【図面の簡単な説明】
【００１４】
【図１】ＬＥＤ照明装置の概略構成を示す図である。
【図２】ＬＥＤ照明装置の基板に形成される複数の貫通孔の位置を説明する図である。
【図３】３点支持タイプの蛍光灯照明器具に対するＬＥＤ照明装置の取り付け態様の一例を示す図である。
【図４】３点支持タイプの蛍光灯照明器具にＬＥＤ照明装置を取り付けた状態の一例を示す図である。
【図５】２点支持タイプの蛍光灯照明器具に対するＬＥＤ照明装置の取り付け態様の一例を示す図である。
【図６】２点支持タイプの蛍光灯照明器具にＬＥＤ照明装置を取り付けた状態の一例を示す図である。
【図７】照明器具本体にＬＥＤ照明装置が取り付けられた状態の断面図である。
【図８】ＬＥＤ発光部材の実装位置を説明するための図である。
【図９】ＬＥＤ照明装置の基板に設けられる貫通孔の他の形成パターンを示す図である。
【発明を実施するための形態】
【００１５】
以下、本発明に関する好ましい実施形態について図面を参照しつつ詳細に説明する。尚、以下に説明する実施形態において互いに共通する部材には同一符号を付しており、それらについての重複する説明は省略する。
【００１６】
図１は、本実施形態におけるＬＥＤ照明装置１の概略構成を示す図であり、（ａ）はＬＥＤ照明装置１の平面図を、（ｂ）は斜視図を示している。このＬＥＤ照明装置１は、プリント基板などで構成される薄肉円盤状の基板２を母材とし、既存の円環型蛍光灯を装着可能な蛍光灯照明器具に対して取り付けて使用する装置である。このＬＥＤ照明装置１は、基板２の表面２ａに対してＬＥＤチップから成る多数のＬＥＤ発光部材３が配置される。またＬＥＤ照明装置１は、基板２の所定位置に表裏を貫通する複数の貫通孔４が形成された構成であり、それら複数の貫通孔４が既存の蛍光灯照明器具へ取り付ける際の取付部となる。図例では、これら貫通孔４は、例えば直径１０ｍｍ程度の円形の孔として形成される。尚、ＬＥＤ発光部材３は、貫通孔４及びその近傍位置を除いて基板２の表面２ａに配置される。
【００１７】
図２は、ＬＥＤ照明装置１の基板２に形成される複数の貫通孔４の位置を説明する図である。図２に示すように、基板２には、その中心からの半径が異なる複数の同心円Ｃ１，Ｃ２，Ｃ３，Ｃ４が設定され、それら各円Ｃ１，Ｃ２，Ｃ３，Ｃ４の円周上の所定位置に貫通孔４が４つずつ形成されている。これら各円Ｃ１，Ｃ２，Ｃ３，Ｃ４の半径Ｒ１，Ｒ２，Ｒ３，Ｒ４は、それぞれ異なる円環サイズの円環型蛍光灯の半径（内径乃至外径のいずれかの半径）に対応するものである。そして各円Ｃ１，Ｃ２，Ｃ３，Ｃ４の円周上に形成される４つの貫通孔４は、円周上の任意の１点を基準位置とし、その基準位置と、その基準位置から１２０度ずつ回転した２点の位置と、その基準位置から１８０度回転した１点の位置との４箇所に形成される。
【００１８】
例えば、円Ｃ１を例に挙げて説明すると、半径Ｒ１の円周上の１点ＰＡ１を基準位置としたとき、その基準位置である第１の位置ＰＡ１と、その基準位置から１２０度回転した第２の位置ＰＢ１と、その基準位置から２４０度回転した第３の位置ＰＣ１と、その基準位置から１８０度回転した第４の位置ＰＤ１との４点に貫通孔４が形成される。また他の円Ｃ２，Ｃ３，Ｃ４の円周上に形成される４つの貫通孔４もこれと同様であるが、これらの基準位置ＰＡ２，ＰＡ３，ＰＡ４は、円Ｃ１の基準位置ＰＡ１と基板２の中心とを結ぶ直線上に設定される。そのため、各円Ｃ１，Ｃ２，Ｃ３，Ｃ４の円周上に設けられる４つの貫通孔４は、それぞれ基板２の半径方向に整列した状態に形成される。
【００１９】
図２を参照して説明すると、各円Ｃ１，Ｃ２，Ｃ３，Ｃ４の円周上に設定される基準位置ＰＡ１，ＰＡ２，ＰＡ３，ＰＡ４は基板２の半径方向に整列するため、これら基準位置ＰＡ１，ＰＡ２，ＰＡ３，ＰＡ４に形成される複数の貫通孔４も基板２の半径方向に整列する。また基準位置ＰＡ１，ＰＡ２，ＰＡ３，ＰＡ４から１２０度回転した第２の位置ＰＢ１，ＰＢ２，ＰＢ３，ＰＢ４に形成される複数の貫通孔４も基板２の半径方向に整列し、基準位置ＰＡ１，ＰＡ２，ＰＡ３，ＰＡ４から２４０度回転した第３の位置ＰＣ１，ＰＣ２，ＰＣ３，ＰＣ４に形成される複数の貫通孔４も基板２の半径方向に整列する。さらに基準位置ＰＡ１，ＰＡ２，ＰＡ３，ＰＡ４から１８０度回転した第４の位置ＰＤ１，ＰＤ２，ＰＤ３，ＰＤ４に形成される複数の貫通孔４も基板２の半径方向に整列する。
【００２０】
上記のように構成されるＬＥＤ照明装置１は、既存の円環型蛍光灯を装着可能な多くのタイプの蛍光灯照明器具に取り付けて使用することができる。すなわち、既存の蛍光灯照明器具の多くは、円環型蛍光灯の内周部又は外周部の２点又は３点を略Ｃ字型に形成された板バネ状の支持部によって支持する構造であるため、それらの支持部を上述した複数の貫通孔４のいずれかに装着することにより、ＬＥＤ照明装置１は簡単に既存の蛍光灯照明器具に取り付けることができるようになっている。
【００２１】
図３乃至図６は、既存の蛍光灯照明器具１０に対するＬＥＤ照明装置１の取り付け態様の一例を示す図である。図３及び図４は円環型蛍光灯の内周部の３点を支持するタイプの蛍光灯照明器具１０ａへの取り付け態様を示しており、図５及び図６は円環型蛍光灯の内周部の２点を支持するタイプの蛍光灯照明器具１０ｂへの取り付け態様を示している。
【００２２】
まず図３及び図５に示すように、円環型蛍光灯を装着する蛍光灯照明器具１０は、天井や壁面などに取り付けられる照明器具本体１２と、その照明器具本体１２に対して着脱可能なカバー１３とを有している。ただし、カバー１３は必ずしも必須のものではない。照明器具本体１２には、円環型蛍光灯の外周部又は内周部の２点又は３点を支持する支持部１１が垂設されており、この支持部１１によって所定円環サイズの円環型蛍光灯を支持する構成である。このような支持部１１は、円環型蛍光灯の管径サイズに対応してＣ字状に湾曲した構造を有し、金属又は樹脂によって板バネ状に形成される。そして支持部１１は、Ｃ字状の湾曲部で円環型蛍光灯の管の一部を抱持することによって支持する構成である。尚、図例では、支持部１１が円環型蛍光灯の内周部を支持するものを示しているが、外周部を支持するものであっても構わない。
【００２３】
図３に示すように、円環型蛍光灯を３点で支持するタイプの蛍光灯照明器具１０ａは、上記のような支持部１１として、３つの支持部１１ａ，１１ｂ，１１ｃが設けられる。３点支持タイプの蛍光灯照明器具１０ａでは、所定円環サイズの円環型蛍光灯の円環方向に沿ってほぼ等間隔の位置で３つの支持部１１ａ，１１ｂ，１１ｃが円環型蛍光灯を支持するように構成されたものが多く普及している。したがって、そのような普及タイプでは、照明器具本体１２において所定円環サイズに対応する１点を基準位置としたとき、その基準位置と、その基準位置から１２０度回転した位置と、２４０度回転した位置との３つの位置に、支持部１１ａ，１１ｂ，１１ｃが設けられる。
【００２４】
また図５に示すように、円環型蛍光灯を２点で支持するタイプの蛍光灯照明器具１０ｂは、上記のような支持部１１として、２つの支持部１１ｄ，１１ｅが設けられる。２点支持タイプの蛍光灯照明器具１０ｂでは、所定円環サイズの円環型蛍光灯の円環方向に沿ってほぼ等間隔の位置で２つの支持部１１ｄ，１１ｅが円環型蛍光灯を支持するように構成されたものが多く普及している。したがって、そのような普及タイプでは、照明器具本体１２において所定円環サイズに対応する１点を基準位置としたとき、その基準位置と、その基準位置から１８０度回転した位置との２つの位置に、支持部１１ｄ，１１ｅが設けられる。
【００２５】
本実施形態のＬＥＤ照明装置１は、上記のような３点支持タイプ又は２点支持タイプの蛍光灯照明器具１０から円環型蛍光灯が取り外された状態で、図３又は図５に示すように、照明器具本体１２に設けられた支持部１１に対して装着可能である。ただし、本実施形態のＬＥＤ照明装置１を蛍光灯照明器具１０に取り付ける際には、蛍光灯照明器具１０から取り外される円環型蛍光灯の円環サイズ（特に内周部の径サイズ）よりも大径の基板２で形成されたＬＥＤ照明装置１を用いることが必要である。また、図３又は図５に示すように、ＬＥＤ照明装置１を取り付けた後、照明器具本体１２に対してカバー１３を装着する場合には、そのカバー１３の外径よりも小径の基板２で形成されたＬＥＤ照明装置１を用いることが必要である。
【００２６】
例えば、３点支持タイプの蛍光灯照明器具１０ａに取り付ける場合、ＬＥＤ照明装置１には、上述したように、複数種類の円環サイズに対応する複数の円Ｃ１，Ｃ２，Ｃ３，Ｃ４の円周上における基準位置ＰＡ１，ＰＡ２，ＰＡ３，ＰＡ４と、その基準位置ＰＡ１，ＰＡ２，ＰＡ３，ＰＡ４から１２０度回転した第２の位置ＰＢ１，ＰＢ２，ＰＢ３，ＰＢ４と、その基準位置ＰＡ１，ＰＡ２，ＰＡ３，ＰＡ４から２４０度回転した第３の位置ＰＣ１，ＰＣ２，ＰＣ３，ＰＣ４とのそれぞれに貫通孔４が形成されている。そのため、図３に示すように、蛍光灯照明器具１０ａから円環型蛍光灯を取り外した状態で照明器具本体１２から立設する３つの支持部１１ａ，１１ｂ，１１ｃの位置に対応する３つの貫通孔４を選択し、それら３つの貫通孔４に支持部１１ａ，１１ｂ，１１ｃを挿入して係合させることにより、ＬＥＤ照明装置１を蛍光灯照明器具１０ａに取り付けることができる。
【００２７】
図４は、３点支持タイプの蛍光灯照明器具１０ａにＬＥＤ照明装置１を取り付けた状態の一例を示す図である。図４に示すように、ＬＥＤ照明装置１は、３点支持タイプの蛍光灯照明器具１０ａに取り付けられた場合、複数の円Ｃ１，Ｃ２，Ｃ３，Ｃ４のうちのいずれか１つの円周上で１２０度ずつ回転した位置の３点に設けられる３つの貫通孔４に支持部１１ａ，１１ｂ，１１ｃが挿入された状態で係合する。そのため、ＬＥＤ照明装置１は、照明器具本体１２に対して回転することがないように支持されるので、例えばＬＥＤ照明装置１と照明器具本体１２とを接続する図示しない配線ケーブルが捻れてしまうといった不具合の発生も防止することができる。
【００２８】
また２点支持タイプの蛍光灯照明器具１０ｂに取り付ける場合、ＬＥＤ照明装置１には、上述したように、複数種類の円環サイズに対応する複数の円Ｃ１，Ｃ２，Ｃ３，Ｃ４の円周上における基準位置ＰＡ１，ＰＡ２，ＰＡ３，ＰＡ４と、その基準位置ＰＡ１，ＰＡ２，ＰＡ３，ＰＡ４から１８０度回転した第４の位置ＰＤ１，ＰＤ２，ＰＤ３，ＰＤ４とのそれぞれに貫通孔４が形成されている。そのため、図５に示すように、蛍光灯照明器具１０ｂから円環型蛍光灯を取り外した状態で照明器具本体１２から立設する２つの支持部１１ｄ，１１ｅの位置に対応する２つの貫通孔４を選択し、それら２つの貫通孔４に支持部１１ｄ，１１ｅを挿入して係合させることにより、ＬＥＤ照明装置１を蛍光灯照明器具１０ｂに取り付けることができる。
【００２９】
図６は、２点支持タイプの蛍光灯照明器具１０ｂにＬＥＤ照明装置１を取り付けた状態の一例を示す図である。図６に示すように、ＬＥＤ照明装置１は、２点支持タイプの蛍光灯照明器具１０ｂに取り付けられた場合、複数の円Ｃ１，Ｃ２，Ｃ３，Ｃ４のうちのいずれか１つの円周上で１８０度ずつ回転した位置の２点に設けられる２つの貫通孔４に支持部１１ｄ，１１ｅが挿入された状態で係合する。そのため、この場合もＬＥＤ照明装置１は、照明器具本体１２に対して回転することがないように支持されるので、例えばＬＥＤ照明装置１と照明器具本体１２とを接続する図示しない配線ケーブルが捻れてしまうといった不具合の発生も防止することができる。
【００３０】
図７は、照明器具本体１２にＬＥＤ照明装置１が取り付けられた状態の断面図である。まず図７（ａ）は、支持部１１が円環型蛍光灯の内周部を支持するものである場合を示している。この場合、支持部１１は、板バネによる付勢力ＦでＣ字状の湾曲部と貫通孔４の内周壁との接触部分を基板２の外方向に向けて押圧する。このような付勢力Ｆは、３点支持及び２点支持のいずれの場合であっても、各支持点で基板２の外向きに作用するため、ＬＥＤ照明装置１はその付勢力Ｆによって照明器具本体１２に安定して支持されることとなる。その結果、ＬＥＤ照明装置１は、照明器具本体１２に対してほぼ平行な姿勢を保った状態で支持される。しかも上述したように、ＬＥＤ照明装置１は、照明器具本体１２に対して回転しないため、支持部１１によって支持された姿勢が安定する。
【００３１】
次に図７（ｂ）は、支持部１１が円環型蛍光灯の外周部を支持するものである場合を示している。この場合、支持部１１は、板バネによる付勢力ＦでＣ字状の湾曲部と貫通孔４の内周壁との接触部分を基板２の内方向に向けて押圧する。このような付勢力Ｆは、３点支持及び２点支持のいずれの場合であっても、各支持点で基板２の内向きに作用するため、ＬＥＤ照明装置１はその付勢力Ｆによって照明器具本体１２に安定して支持されることとなる。したがって、支持部１１が円環型蛍光灯の外周部を支持するためにＣ字状の湾曲部が内側を向いている場合であっても、ＬＥＤ照明装置１は、照明器具本体１２に対してほぼ平行な姿勢を保った状態で支持される。
【００３２】
ただし、図７（ｂ）に示すように支持部１１が円環型蛍光灯の外周部を支持するためにＣ字状の湾曲部を内側に向けている構造の場合には、支持部１１が、ＬＥＤ照明装置１を支持する際には基板２の外周部を支持することも可能である。支持部１１が基板２の外周部を支持した状態になってしまうと、照明器具本体１２に対してＬＥＤ照明装置１が回転してしまう可能性があり、それによって配線ケーブルに捻れが生じることが懸念される。そのため、仮に支持部１１が円環型蛍光灯の外周部を支持するためにＣ字状の湾曲部を内側に向けている場合であっても、本実施形態のＬＥＤ照明装置１を取り付ける際には、取り外された円環型蛍光灯の円環サイズ（特に外周部の径サイズ）よりも大径の基板２で形成されたＬＥＤ照明装置１を用い、貫通孔４に支持部１１を挿入して取り付けることが好ましい。
【００３３】
図８は、ＬＥＤ発光部材３の実装位置を説明するための図である。上記のようにして既存の蛍光灯照明器具１０の支持部１１にＬＥＤ照明装置１が取り付けられると、図８（ａ）に示すように、Ｃ字状に湾曲した支持部１１の先端部１５が基板２の表面２ａに接触することがある。このような場合、支持部１１が導電性のある金属材料などで形成されていると、配線パターンやＬＥＤ発光部材３の接続端子などを短絡させてしまう可能性がある。また支持部１１が樹脂材料などで形成されている場合であっても、支持部１１の先端部１５が接触する位置にＬＥＤ発光部材３が実装されていれば、ＬＥＤ発光部材３を破損させてしまう可能性もある。そのため、ＬＥＤ照明装置１では、そのような配線パターンの短絡や、ＬＥＤ発光部材３の破損を未然に防止すべく、図８（ｂ）に示すように、支持部１１が挿入装着される貫通孔４が形成された位置から基板２の径方向外側又は内側に所定範囲内の領域ＲＸを、ＬＥＤ発光部材３の実装禁止領域としている。したがって、ＬＥＤ発光部材３は、図８（ｂ）に示すように、基板２の表面２ａにおいて実装禁止領域ＲＸを除く領域に多数配置されることにより、十分な明るさを提供することができると共に、支持部１１の先端部１５との接触による配線パターンの短絡や、ＬＥＤ発光部材３の破損を未然に防止することができるようになる。
【００３４】
また実装禁止領域ＲＸは、ＬＥＤ発光部材３の実装だけでなく、配線パターンも形成しない領域とすることが好ましい。ただし、例えば実装禁止領域ＲＸに形成した配線パターンを絶縁膜などで保護する場合にはこの限りではない。
【００３５】
次に図９は、ＬＥＤ照明装置１の基板２に設けられる貫通孔４の他の形成パターンを示す図である。図９（ａ）では、貫通孔４が円形の孔ではなく、各円Ｃ１，Ｃ２，Ｃ３，Ｃ４の円周上に沿って細長の矩形状の孔が貫通孔４として形成される場合を例示している。このように矩形の貫通孔４は、基板２の径方向の長さＤ１を円形孔に比べて小さくすることができるため、基板２の径方向に沿ってより多くの貫通孔４を配列することができるようになる。その結果、円形孔と比較すると、より一層多くの種類の円環サイズに対応可能なＬＥＤ照明装置１が実現されるため、ＬＥＤ照明装置１を安価に提供することができるようになる。
【００３６】
また図９（ｂ）では、一の円ＣＸの円周上にだけ４つの貫通孔４を形成した場合を例示している。本実施形態のＬＥＤ照明装置１は、図９（ｂ）に示すように一の円ＣＸの円周上にだけ４つの貫通孔４を形成したものであっても構わない。この場合であっても、円ＣＸの円周上の位置に３点支持又は２点支持の支持部１１が設けられている蛍光灯照明器具１０に対し、３点支持であるか２点支持であるかを問わずに、取り付けることが可能である。
【００３７】
以上のように、本実施形態のＬＥＤ照明装置１は、円環型蛍光灯の内周部又は外周部の２点又は３点を支持する支持部１１を備えた既存の蛍光灯照明器具１０に取り付けて使用するためのものであり、円環型蛍光灯の内周部よりも大径に形成された円盤状の基板２と、その基板２の中心から、円環型蛍光灯の円環サイズに対応する半径の円周上で等間隔となる２点及び３点の位置に形成される基板２を貫通する貫通孔４と、基板２の表面２ａに対して貫通孔４が形成された位置を除いて多数配置されるＬＥＤ発光部材３と、を備える構成である。そして、このＬＥＤ照明装置１は、円環型蛍光灯が取り外された状態の蛍光灯照明器具１０に対し、基板２の盤面内に形成された２点又は３点の貫通孔４に支持部１１を係合させることによって装着可能としている。したがって、本実施形態のＬＥＤ照明装置１は、円環型蛍光灯の内周部又は外周部の２点又は３点をＣ字型に形成された板バネ状の支持部１１によって支持する構造を有する多くの蛍光灯照明器具１０に対し、特別な専用の部品を取り付けることなく、そのまま安定した姿勢に装着することが可能である。しかも貫通孔４が形成された位置を除いて、円盤状の基板２の表面２ａに対してＬＥＤ発光部材３を多数配置することが可能であるので、十分な明るさで照明することができる。また本実施形態のＬＥＤ照明装置１では、ＬＥＤ発光部材３から照射される光を内部反射させるような部材が存在しないため、ＬＥＤ発光部材３から放出される光を１００％利用して周囲環境を照らすことが可能であり、光の利用効率に優れているという利点もある。また、このようなＬＥＤ照明装置１は、汎用性が高いため、安価に市場に提供することも可能である。
【００３８】
また既存の蛍光灯照明器具１０では、円環サイズの異なる２本以上の円環型蛍光灯を取り付け可能なものも多く普及しているが、そのような蛍光灯照明器具１０であっても、本実施形態のＬＥＤ照明装置１を１つ取り付ければ、円環型蛍光灯２本分、或いはそれ以上の明るさで照明することが可能である。それ故、１つの蛍光灯照明器具１０に対して本実施形態のＬＥＤ照明装置１を１つだけ取り付ければ良いので、作業効率に優れると共に、安価にＬＥＤ照明への交換が可能である。
【００３９】
また本実施形態のＬＥＤ照明装置１は、基板２の中心から円環型蛍光灯の円環サイズに対応する半径の円周上の１点を基準位置とし、その基準位置と、その基準位置から１８０度回転した１点の位置と、その基準位置から１２０度ずつ回転した２点の位置とのそれぞれに複数の貫通孔４を形成した構成である。そのため、このような構成を有するＬＥＤ照明装置１は、２点支持タイプ又は３点支持タイプの蛍光灯照明器具の中でも、多く普及しているタイプの蛍光灯照明器具１０に対して装着することが可能であり、しかも装着対象となる蛍光灯照明器具１０が２点支持タイプと３点支持タイプとのいずれであっても装着することができる構成となっている。
【００４０】
さらに基準位置に形成される貫通孔４が、２点支持と３点支持とで共通して使用可能な貫通孔４となるため、円周上に４つの貫通孔４を形成すれば２点支持と３点支持との双方で対応可能となる。したがって、２点支持する場合の支持部１１を挿入する２つの貫通孔４と、３点支持する場合の支持部１１を挿入する３つの貫通孔４との合計５つの貫通孔４を形成する場合と比較すれば、基板２において貫通孔４を形成する面積を小さくすることができるので、ＬＥＤ発光部材３をより多く実装することが可能になる。
【００４１】
また本実施形態のＬＥＤ照明装置１は、上述したように複数種類の円環サイズのそれぞれに対応した半径を有する複数の円周上のそれぞれに複数の貫通孔４を形成した構成を有している。このような構成を有するＬＥＤ照明装置１は、汎用性がより一層高くなり、様々な円環サイズの円環型蛍光灯を装着する蛍光灯照明器具１０に対して簡単に取り付けることが可能になる。
【００４２】
さらに本実施形態のＬＥＤ照明装置１は、ＬＥＤ発光部材３を、貫通孔４が形成された位置から基板２の径方向外側又は内側の所定範囲内の領域ＲＸを除いた位置に配置している。そのため、仮に支持部１１の先端部１５がＬＥＤ発光部材３の実装される基板表面２ａに接触する場合であっても、配線パターンの短絡や、ＬＥＤ発光部材３の破損を未然に防止することが可能である。
【００４３】
以上、本発明に関する一実施形態について説明したが、本発明は上述した内容のものに限られるものではなく、種々の変形例が適用可能である。
【００４４】
例えば、上記実施形態では、基板２が円盤状であることを説明した。しかし、基板２は、厳密な円盤であることは必要ではなく、例えば六角形以上の多角形盤であっても構わない。したがって、本発明における円盤状の基板には、多角形盤も含まれる。
【符号の説明】
【００４５】
１  ＬＥＤ照明装置
２  基板
３  ＬＥＤ発光部材
４  貫通孔
１０  蛍光灯照明器具
【図１】
2014082045.tif 000003
【図２】
2014082045.tif 000004
【図３】
2014082045.tif 000005
【図４】
2014082045.tif 000006
【図５】
2014082045.tif 000007
【図６】
2014082045.tif 000008
【図７】
2014082045.tif 000009
【図８】
2014082045.tif 000010
【図９】
2014082045.tif 000011